(57)【要約】【課題】屋根パネルへの装着作業を簡易かつ短時間に行い得る屋根パネル用カバー材等を提供する。【解決手段】屋根パネル１は、平板状のパネル本体部１ａと、パネル本体部１ａの幅方向両端から立ち上がる立上りフランジ部１ｂとを有する。屋根パネル用カバー材２は、立上りフランジ部１ｂ同士が隣り合うように複数配置される屋根パネル１に装着され、隣り合う両屋根パネル１の両立上りフランジ部１ｂを上側から覆う長尺状のものである。屋根パネル用カバー材２はカバー本体部２１と芯部２３とを備えている。カバー本体部２１は、底壁部２１ａと左右一対の側壁部２１ｂとからなる横断面形状が略Ｕ字状をなし、弾性を有する樹脂又はゴム材料からなり、両側壁部２１ｂの内側から一体に突出して立上りフランジ部１ｂに隣接してこれを挟持可能な少なくとも一対の挟持リップ２２を有する。芯部２３は、カバー本体部２１の内部に長手方向に沿って埋設され、横断面形状が略Ｕ字状をなし、カバー本体部２１よりも剛性及び耐伸縮性が高い塑性変形可能な材料からなり、立上りフランジ部１ｂと同一方向に変形可能である。【選択図】        図６
2004211472.tif 000002
【特許請求の範囲】
【請求項１】
平板状のパネル本体部と該パネル本体部の幅方向両端から立ち上がる立上りフランジ部とを有し、該立上りフランジ部同士が隣り合うように複数配置される屋根パネルに装着され、隣り合う両該屋根パネルの両該立上りフランジ部を上側から覆う長尺状の屋根パネル用カバー材であって、
底壁部と左右一対の側壁部とからなる横断面形状が略Ｕ字状をなし、弾性を有する樹脂又はゴム材料からなり、両該側壁部の内側から一体に突出して前記立上りフランジ部に隣接してこれを挟持可能な少なくとも一対の挟持リップを有するカバー本体部と、
該カバー本体部の内部に長手方向に沿って埋設され、横断面形状が略Ｕ字状をなし、該カバー本体部よりも剛性及び耐伸縮性が高い塑性変形可能な材料からなり、該立上りフランジ部と同一方向に変形可能な芯部とを備えていることを特徴とする屋根パネル用カバー材。
【請求項２】
前記挟持リップはその少なくとも一部が発泡したスポンジ材からなることを特徴とする請求項１記載の屋根パネル用カバー材。
【請求項３】
前記カバー本体部の内側には、装着時に前記立上りフランジ部の先端と接触可能であり、接触部分で該立上りフランジ部間に雨水が浸入するのを防止する防水部材が長手方向に沿って設けられていることを特徴とする請求項１又は２記載の屋根パネル用カバー材。
【請求項４】
前記防水部材は発泡したスポンジ材及び／又はペースト状の不乾シーラからなることを特徴とする請求項３記載の屋根パネル用カバー材。
【請求項５】
前記防水部材は前記底壁部に介在されていることを特徴とする請求項３又は４記載の屋根パネル用カバー材。
【請求項６】
前記側壁部の先端には、前記屋根パネルの前記パネル本体部と弾性的に当接する当接部が設けられていることを特徴とする請求項１乃至５のいずれか１項記載の屋根パネル用カバー材。
【請求項７】
前記当接部は、少なくとも前記屋根パネルと当接する部分が発泡したスポンジ材からなることを特徴とする請求項６記載の屋根パネル用カバー材。
【請求項８】
前記カバー本体部の表面は、前記カバー本体部よりも耐候性に富む材料からなる表皮材で被覆されていることを特徴とする請求項１乃至７のいずれか１項記載の屋根パネル用カバー材。
【請求項９】
平板状のパネル本体部と該パネル本体部の幅方向両端から立ち上がる立上りフランジ部を有し、該立上りフランジ部同士が隣り合うように下地材に固定されて複数配置される屋根パネルと、隣り合う該屋根パネルに装着されて両該立上りフランジ部を上側から覆う長尺状の屋根パネル用カバー材とからなる屋根パネル用カバー材の装着構造であって、
前記屋根パネル用カバー材は、底壁部と左右一対の側壁部とからなる横断面形状が略Ｕ字状をなし、弾性を有する樹脂又はゴム材料からなり、両該側壁部の内側から一体に突出して前記立上りフランジ部に隣接してこれを挟持可能な少なくとも一対の挟持リップを有するカバー本体部と、
該カバー本体部の内部に長手方向に沿って埋設され、横断面形状が略Ｕ字状をなし、該カバー本体部よりも剛性及び耐伸縮性が高い塑性変形可能な材料からなり、前記立上りフランジ部と同一方向に変形可能な芯部とを備え、
該屋根パネル用カバー材は該挟持リップにより前記屋根パネルに装着されていることを特徴とする屋根パネル用カバー材の装着構造。
【請求項１０】
前記屋根パネルの前記立上りフランジ部には、前記パネル本体部の幅方向中心側に向けて突出し、前記屋根パネル用カバー材の装着時に前記挟持リップと当接する凸条が形成されていることを特徴とする請求項９記載の屋根パネル用カバー材の装着構造。
【請求項１１】
平板状のパネル本体部と該パネル本体部の幅方向両端から立ち上がる立上りフランジ部とを有し、該立上りフランジ部同士が隣り合うように複数配置される屋根パネルに装着され、隣り合う両該屋根パネルの両該立上りフランジ部を上側から覆う長尺状の屋根パネル用カバー材の取扱方法であって、
前記屋根パネル用カバー材は、底壁部と左右一対の側壁部とからなる横断面形状が略Ｕ字状をなし、弾性を有する樹脂又はゴム材料からなり、両該側壁部の内側から一体に突出して前記立上りフランジ部に隣接してこれを挟持可能な少なくとも一対の挟持リップを有するカバー本体部と、
該カバー本体部の内部に長手方向に沿って埋設され、横断面形状が略Ｕ字状をなし、該カバー本体部よりも剛性及び耐伸縮性が高い塑性変形可能な材料からなり、前記立上りフランジ部と同一方向に変形可能な芯部とを備え、
該屋根パネル用カバー材の該底壁部を半径方向外側又は内側となるように巻き付けて運搬し、該屋根パネル用カバー材の取付場所で該屋根パネル用カバー材を所定の長さに切断することを特徴とする屋根パネル用カバー材の取扱方法。
【発明の詳細な説明】
【０００１】
【発明の属する技術分野】
本発明は、屋根パネル用カバー材、屋根パネル用カバー材の装着構造及び屋根パネル用カバー材の取扱方法に関する。本発明に係る屋根パネル用カバー材は、住宅、倉庫、体育館等の建物の屋根パネルに装着される。
【０００２】
【従来の技術】
屋根パネルに装着される従来の長尺状の屋根パネル用カバー材として、特許文献１記載のものが知られている。屋根パネルは、平板状のパネル本体部と、このパネル本体部の幅方向両端から立ち上がる立上りフランジ部とを有している。複数の屋根パネルは立上りフランジ部同士が隣り合うように配置される。
【０００３】
従来の屋根パネル用カバー材は、底壁部と左右一対の側壁部とからなる横断面形状が略Ｕ字状をなし、弾性を有する樹脂又はゴム材料からなるカバー本体部材と、横断面形状が略Ｕ字状をなし、カバー本体部材よりも剛性及び耐伸縮性が高い塑性変形可能な材料からなる芯部材とからなる。カバー本体部材は、両側壁部の内側から一体に突出して立上りフランジ部に隣接してこれを挟持可能な少なくとも一対の挟持リップを有している。
【０００４】
屋根パネル用カバー材は、まずカバー本体部材が屋根パネルに装着される。その際、カバー本体部材は、両側壁部の内側から一体に突出する挟持リップが立上りフランジ部に隣接してこれを挟持することにより、屋根パネルに装着される。そして、芯部材がそのカバー本体部材に装着される。こうして、屋根パネル用カバー材は、隣り合う両屋根パネルの両立上りフランジ部を上側から覆う。これにより屋根パネルは、両立上りフランジ部間からの雨水等の水滴の侵入が防止されるとともに、優れた意匠性を発揮する。
【０００５】
【特許文献１】
特許２５１９６６０号公報
【０００６】
【発明が解決しようとする課題】
しかし、上記従来の屋根パネル用カバー材は、カバー本体部材と芯部材とが別体であったため、屋根パネルへの装着作業において、複数の部材を個別に装着する必要があり、手間と時間とを要する。
【０００７】
また、この屋根パネル用カバー材は、芯部材が長手方向に連続的に形成されたものである。このため、芯部材を立上りフランジ部と同一方向に変形することができず、立上りフランジ部に合せて芯部材を装着し難い。このため、屋根パネル用カバー材の装着後において、防水性及び意匠性も損なわれ易い。また、長手方向に連続している一体の芯部材は運搬、取り扱いも不便である。
【０００８】
本発明は、上記従来の実情に鑑みてなされたものであって、屋根パネルへの装着作業を簡易かつ短時間に行い得る屋根パネル用カバー材を提供することを解決すべき課題としている。また、本発明は、そのような屋根パネル用カバー材を用いた屋根パネル用カバー材の装着構造の防水性及び意匠性を向上させることも解決すべき課題としている。さらに、本発明は、取り扱いが便利な屋根パネル用カバー材の取扱方法を提供することも解決すべき課題としている。
【０００９】
【課題を解決するための手段】
本発明の屋根パネル用カバー材は、平板状のパネル本体部と該パネル本体部の幅方向両端から立ち上がる立上りフランジ部とを有し、該立上りフランジ部同士が隣り合うように複数配置される屋根パネルに装着され、隣り合う両該屋根パネルの両該立上りフランジ部を上側から覆う長尺状の屋根パネル用カバー材であって、
底壁部と左右一対の側壁部とからなる横断面形状が略Ｕ字状をなし、弾性を有する樹脂又はゴム材料からなり、両該側壁部の内側から一体に突出して前記立上りフランジ部に隣接してこれを挟持可能な少なくとも一対の挟持リップを有するカバー本体部と、
該カバー本体部の内部に長手方向に沿って埋設され、横断面形状が略Ｕ字状をなし、該カバー本体部よりも剛性及び耐伸縮性が高い塑性変形可能な材料からなり、該立上りフランジ部と同一方向に変形可能な芯部とを備えていることを特徴とする。
【００１０】
本発明の屋根パネル用カバー材は、挟持リップにより屋根パネルに装着され、芯部がカバー本体部の口開きを防止して装着状態を保つ。この際、芯部がカバー本体部の内部に長手方向に沿って埋設され、カバー本体部と芯部とが一体をなしているため、別途の複数部材の装着を必要とせず、一部材の装着で完了するので、屋根パネルへの装着作業を簡易かつ短時間に行い得る。
【００１１】
また、この屋根パネル用カバー材は、芯部が立上りフランジ部と同一方向に変形可能であるため、屋根パネルの立上りフランジ部の先端がバラツキを有している場合でも、立上りフランジ部に合せて屋根パネル用カバー材を容易に装着することができる。このため、この点においても装着作業を簡易かつ短時間に行うことができる。
【００１２】
したがって、本発明の屋根パネル用カバー材によれば、バラツキとは無関係に屋根パネルへの装着作業を簡易かつ短時間に行うことができる。
【００１３】
カバー本体部を構成する材料は、弾性を有する樹脂又はゴム材料のうち、屋根パネル、装着場所、環境等に応じて適宜選択される。また、芯部を構成する材料は、カバー本体部よりも剛性及び耐伸縮性が高い塑性変形可能な材料のうち、屋根パネル等に応じて適宜選択される。さらに、挟持リップの数や位置も屋根パネル等に応じて適宜選択される。
【００１４】
本発明の屋根パネル用カバー材の装着構造は、平板状のパネル本体部と該パネル本体部の幅方向両端から立ち上がる立上りフランジ部を有し、該立上りフランジ部同士が隣り合うように下地材に固定されて複数配置される屋根パネルと、隣り合う該屋根パネルに装着されて両該立上りフランジ部を上側から覆う長尺状の屋根パネル用カバー材とからなる屋根パネル用カバー材の装着構造であって、
前記屋根パネル用カバー材は、底壁部と左右一対の側壁部とからなる横断面形状が略Ｕ字状をなし、弾性を有する樹脂又はゴム材料からなり、両該側壁部の内側から一体に突出して前記立上りフランジ部に隣接してこれを挟持可能な少なくとも一対の挟持リップを有するカバー本体部と、
該カバー本体部の内部に長手方向に沿って埋設され、横断面形状が略Ｕ字状をなし、該カバー本体部よりも剛性及び耐伸縮性が高い塑性変形可能な材料からなり、前記立上りフランジ部と同一方向に変形可能な芯部とを備え、
該屋根パネル用カバー材は該挟持リップにより前記屋根パネルに装着されていることを特徴とする。
【００１５】
本発明の装着構造では、屋根パネル用カバー材の芯部が立上りフランジ部と同一方向に変形可能であるため、屋根パネルの立上りフランジ部の先端がバラツキを有している場合でも、立上りフランジ部に合せて屋根パネル用カバー材を容易に装着することができる。
【００１６】
したがって、本発明の装着構造によれば、防水性及び意匠性を向上させることができる。
【００１７】
本発明の屋根パネル用カバー材の取扱方法は、平板状のパネル本体部と該パネル本体部の幅方向両端から立ち上がる立上りフランジ部とを有し、該立上りフランジ部同士が隣り合うように複数配置される屋根パネルに装着され、隣り合う両該屋根パネルの両該立上りフランジ部を上側から覆う長尺状の屋根パネル用カバー材の取扱方法であって、
前記屋根パネル用カバー材は、底壁部と左右一対の側壁部とからなる横断面形状が略Ｕ字状をなし、弾性を有する樹脂又はゴム材料からなり、両該側壁部の内側から一体に突出して前記立上りフランジ部に隣接してこれを挟持可能な少なくとも一対の挟持リップを有するカバー本体部と、
該カバー本体部の内部に長手方向に沿って埋設され、横断面形状が略Ｕ字状をなし、該カバー本体部よりも剛性及び耐伸縮性が高い塑性変形可能な材料からなり、前記立上りフランジ部と同一方向に変形可能な芯部とを備え、
該屋根パネル用カバー材の該底壁部を半径方向外側又は内側となるように巻き付けて運搬し、該屋根パネル用カバー材の取付場所で該屋根パネル用カバー材を所定の長さに切断することを特徴とする。
【００１８】
本発明の取扱方法では、屋根パネル用カバー材の芯部が立上りフランジ部と同一方向に変形可能であるため、屋根パネル用カバー材の底壁部を半径方向外側又は内側となるように巻き付けて運搬することができ、取り扱いも便利である。そして、屋根パネル用カバー材の取付場所で屋根パネル用カバー材を所定の長さに切断することができる。このため、この点においても装着作業を簡易かつ短時間に行うことができる。
【００１９】
したがって、本発明の取扱方法によれば、屋根パネル用カバー材を便利に取り扱うことができる。
【００２０】
本発明の屋根パネル用カバー材では、挟持リップはその少なくとも一部が発泡したスポンジ材からなることが好ましい。この場合、屋根パネルに当接する挟持リップが柔軟なスポンジ材からなるので、屋根パネル用カバー材が屋根パネルに良好に密着し、装着構造の防水性が高まる。
【００２１】
本発明の屋根パネル用カバー材では、カバー本体部の内側には、装着時に立上りフランジ部の先端と接触可能であり、接触部分で立上りフランジ部間に雨水が浸入するのを防止する防水部材が長手方向に沿って設けられていることが好ましい。この場合、装着構造の防水性が向上する。また、屋根パネル用カバー材の装着に際して、立上りフランジ部に格別の別途の防水処理を施す必要が無くなり、優れた作業性により、屋根パネルへの装着作業をより一層簡易かつ短時間に行い得る。
【００２２】
防水部材は発泡したスポンジ材及び／又はペースト状の不乾シーラからなることができる。立上りフランジ部に当接する防水部材が柔軟なスポンジ材及び／又はペースト状の不乾シーラからなれば、立上りフランジ部の先端と屋根パネル用カバー材との間隔にバラツキがあっても、これを防水部材が吸収し、屋根パネル用カバー材が立上りフランジ部と良好に密着し、装着構造の防水性が高まる。
【００２３】
防水部材は底壁部に介在されていることが好ましい。この場合、立上りフランジ部の先端が確実に防水部材と接触するため、装着構造が安定した防水性を発揮する。
【００２４】
本発明の屋根パネル用カバー材では、側壁部の先端には、屋根パネルのパネル本体部と弾性的に当接する当接部が設けられていることが好ましい。この場合、当接部が屋根パネルのパネル本体部に当接するため、雨水の跳ね上がり等によって水滴が屋根パネル用カバー材の内側に浸入することを防止できる。また、カバー本体部の内部の挟持リップに加えて当接部もシール箇所となるため、装着構造の防水性が高まる。
【００２５】
当接部は、少なくとも屋根パネルと当接する部分が発泡したスポンジ材からなることが好ましい。この場合、屋根パネルに当接する当接部が柔軟なスポンジ材からなるので、当接部が屋根パネルに良好に密着し、装着構造の防水性が高まる。
【００２６】
本発明の屋根パネル用カバー材では、カバー本体部の表面は、カバー本体部よりも耐候性に富む材料からなる表皮材で被覆されていることが好ましい。耐候性を有する材料で被覆すると、屋根パネル用カバー材の耐久性が向上する。表皮材がカバー本体部と色の異なる材料である場合には、装着構造の意匠性も高まる。
【００２７】
本発明の屋根パネル用カバー材の装着構造では、屋根パネルの立上りフランジ部には、パネル本体部の幅方向中心側に向けて突出し、屋根パネル用カバー材の装着時に挟持リップと当接する凸条が形成されていることが好ましい。この場合、屋根パネル用カバー材が凸条に引っ掛かって屋根パネル用カバー材の抜けが防止される。また、屋根パネルを曲げて形成する場合には、凸条によって屋根パネルの長手方向の真直性が高まる。
【００２８】
【発明の実施の形態】
以下、本発明を具体化した実施形態１〜６及び変形形態１〜３を図面を参照しつつ説明する。
【００２９】
（実施形態１）
実施形態１では、図１に示すかまぼこ形丸屋根の屋根パネル１に屋根パネル用カバー材２を装着する。
【００３０】
屋根パネル１は、図２に示すように、曲面をなす建物の中心に向かって湾曲した平板状のパネル本体部１ａと、このパネル本体部１ａの幅方向両端から立ち上がる立上りフランジ部１ｂとを有している。複数の屋根パネル１は、図３に示すように、立上りフランジ部１ｂ同士が隣り合うように配置され、両立上りフランジ部１ｂ間には、垂木３にくぎ４によって固着された板金製の吊り材５が立上りフランジ部１ｂの長手方向に所定間隔を保って複数個介在されている。なお、くぎ４の代わりにねじ等を用いることもできる。
【００３１】
吊り材５は、図２にも示すように、立上りフランジ部１ｂ間に位置する本体部５ａと、この本体部５ａの下端から本体部５ａの幅方向一端で本体部５ａの一方側に直角に折れ曲がる第１固定部５ｂと、本体部５ａの下端から本体部５ａの幅方向中央で本体部５ａの他方側に直角に折れ曲がる第２固定部５ｃと、本体部５ａの下端から第１固定部５ｂとは反対側の本体部５ａの幅方向他端で本体部５ａの一方側に直角に折れ曲がる第３固定部５ｄとを有する。一方、吊り材５は、本体部５ａの上端から本体部５ａの幅方向一端で本体部５ａの他方側に直角に折れ曲がる第１係止部５ｅと、本体部５ａの上端から本体部５ａの幅方向中央で本体部５ａの一方側に直角に折れ曲がる第２係止部５ｆと、本体部５ａの上端から本体部５ａの幅方向他端で本体部５ａの一方側に直角に折れ曲がる第３係止部５ｇとを有する。吊り材５は第１〜３固定部５ｂ〜５ｄがくぎ４によって垂木３に固定された後、本体部５ａの両側に屋根パネル１が配置され、しかる後に第１〜３係止部５ｅ〜５ｇが立上りフランジ部１ｂの上端を挟んで下方に屈曲させられて屋根パネル１が垂木３に固着される。
【００３２】
屋根パネル用カバー材２は、図４に示すように、底壁部２１ａと、左右一対の側壁部２１ｂとからなる横断面形状が略Ｕ字状をなし、弾性を有するソリッド状（非発泡）の合成樹脂、ゴム（ＥＰＤＭ）又は同熱可塑性エラストマー（ＴＰＥ）からなるカバー本体部２１を備えている。屋根パネル用カバー材２は、横断面形状が左右対称であるため、左右を意識せずに装着することが可能である。カバー本体部２１は、両側壁部２１ｂの内側から一体に突出して屋根パネル１の立上りフランジ部１ｂに弾接してこれを挟持可能な二対の挟持リップ２２を有している。挟持リップ２２の少なくとも立上りフランジ部１ｂに弾接する部分をカバー本体部２１よりも軟質で発泡したスポンジ材によって形成することも可能である。これにより、より高いシール性が得られる。
【００３３】
また、屋根パネル用カバー材２は、カバー本体部２１の内部に長手方向に沿って埋設され、横断面形状が略Ｕ字状をなし、カバー本体部２１よりも剛性及び耐伸縮性が高い塑性変形可能なステンレス鋼板（ＳＵＳ）、亜鉛メッキ鋼板（ＳＧＣＣ）、アルミニウム（Ａｌ）合金板、亜鉛（Ｚｎ）合金メッキ板等の金属板からなる芯部２３を長手方向に沿って全長に亘って備えている。芯部２３は、図５に示すように、カバー本体部２１の底壁部２１ａ内に位置する底部２３ａと、カバー本体部２１の側壁部２１ｂ内に位置する側部２３ｂとからなる横断面形状が略Ｕ字状をなしている。両側部２３ｂのほぼ中央は長手方向に延びる連結部２３ｃによって連結されているが、底部２３ａ及び両側部２３ｂの残部は長手方向と直交する方向に延びるスリット２３ｄによって分断されている。これにより、芯部２３は、図中のＸ方向の変形及びＺ方向の伸縮は制限されているものの、立上りフランジ部１ｂと同一方向であるＹ方向の変形が可能になっている。
【００３４】
また、カバー本体部２１の底壁部２１ａの内側には、図４に示すように、両側壁部２１ｂとの間に突起２１ｃが形成され、両突起２１ｃ間に粘着性を有するペースト状の不乾シーラからなる防水部材２４が長手方向に沿って設けられている。防水部材２４として、発泡したスポンジ材を採用することも可能である。なお、防水部材２４は、屋根パネル用カバー材２が装着された時、立上りフランジ１ｂの上端に接して両立上りフランジ部１ｂ間に水が浸入することを防止している。
【００３５】
さらに、カバー本体部２１の両側壁部２１ｂの先端には、屋根パネル１のパネル本体部１ａと弾性的に当接する当接部２５が設けられている。両当接部２５は、屋根パネル１との密着を良好にしてシール性を向上させるために、少なくとも屋根パネル１と当接する部分が発泡したスポンジ材によって形成することも可能である。
【００３６】
また、カバー本体部２１の表面は、カバー本体部２１よりも耐候性に富むシリコーンゴム等からなる表皮材２６で一体的に被覆されている。また、表皮材２６をカバー本体部２１とは異なる色を呈する材料によって形成することもできる。
【００３７】
以上のように構成された屋根パネル用カバー材２は共押出成形により一体に成形され得る。そして、この屋根パネル用カバー材２は、図６に示すように、屋根パネル１に装着される。こうして、屋根パネル用カバー材２は、隣り合う両屋根パネル１の両立上りフランジ部１ｂを上側から覆う。これにより屋根パネル１は、両立上りフランジ部１ｂ間からの雨水等の水滴の侵入が防止されるとともに、優れた意匠性を発揮する。なお、図２に示すように、屋根パネル用カバー材２の両端に端末キャップ６を嵌合することもできる。この端末キャップ６は、ＥＰＤＭ、ＴＰＥ又は金属板によって成形することができる。
【００３８】
屋根用カバー材２の装着の際、カバー本体部２１は、両側壁部２１ｂの内側から一体に突出する挟持リップ２２が立上りフランジ部１ｂに弾接してこれを挟持することにより、屋根パネル１に装着される。そして、芯部２３がカバー本体部２１の口開きを防止して強く挟持し、装着状態を保つ。この際、芯部２３がカバー本体部２１の内部に長手方向に沿って埋設され、カバー本体部２１と芯部２３とが一体をなしているため、屋根用カバー材を押し込んで装着するだけで装着作業が完了し、屋根パネル１への装着作業を簡易かつ短時間に行い得る。
【００３９】
また、この屋根パネル用カバー材２は、芯部２３が立上りフランジ部１ｂと同一方向（図５におけるＹ方向）に変形可能であるため、屋根パネル１の立上りフランジ部１ｂの先端がバラツキを有している場合でも、立上りフランジ部１ｂに合せて屋根パネル用カバー材２を容易に装着することができる。このため、この点においても装着作業を簡易かつ短時間に行うことができる。また、図１に示す丸屋根に装着する時でも、屋根用カバー材２が変形して屋根の形状に容易に追従する。
【００４０】
さらに、この屋根パネル用カバー材２は、屋根パネル用カバー材２の底壁部２１ａを半径方向外側又は内側となるように直径数十ｃｍ〜数ｍの径でＹ方向に湾曲させて連続して巻き付けて外形上の長さを短くし、この状態で運搬することができ、取り扱いも簡易である。そして、屋根パネル用カバー材２の取付場所で屋根パネル用カバー材２を所定の長さに切断することができる。このため、屋根用カバー材２の長手方向の端末同士を接続する必要がなくなり、この点においても装着作業を簡易かつ短時間に行うことができる。
【００４１】
したがって、この屋根パネル用カバー材２によれば、屋根パネル１への装着作業を簡易かつ短時間に行うことができる。また、この装着構造によれば、防水性及び意匠性を向上させることができる。さらに、この取扱方法によれば、屋根パネル用カバー材２を便利に取り扱うことができる。
【００４２】
また、挟持リップ２２の少なくとも立上りフランジ部１ｂに弾接する部分が柔軟な発泡したスポンジ材からなる場合には、挟持リップ２２が屋根パネル１に良好に密着し、装着構造の防水性が高まる。
【００４３】
さらに、この屋根パネル用カバー材２では、カバー本体部２１の底壁部２１ａの内側に防水部材２４が設けられており、この防水部材２４が装着時に立上りフランジ部１ｂの先端と接触する。このため、立上りフランジ部１ｂの外面に毛管現象等により雨水が浸入しても、防水部材２４と立上りフランジ部１ｂとの接触部分でその雨水が立上りフランジ部１ｂ間に侵入することを防止する。このため、装着構造の防水性が向上している。また、屋根パネル用カバー材２の装着に際して、立上りフランジ部１ｂに格別の別途の防水処理を施す必要が無く、優れた作業性により、屋根パネル１への装着作業をより一層簡易かつ短時間に行い得る。特に、防水部材２４がペースト状の不乾シーラからなるときには、立上りフランジ部１ｂの先端と屋根パネル用カバー材２との間にバラツキがあっても、これを防水部材２４が吸収し、屋根パネル用カバー材２が立上りフランジ部１ｂと良好に密着し、装着構造の防水性が高まる。また、防水部材２４が底壁部２１ａに介在されているため、立上りフランジ部１ｂの先端が確実に防水部材２４と接触し、装着構造が安定した防水性を発揮する。
【００４４】
また、この屋根パネル用カバー材２では、側壁部２１ｂの先端に当接部２５が設けられており、当接部２５が屋根パネル１のパネル本体部１ａと弾性的に当接するため、雨水の跳ね上がり等によって水滴が屋根パネル用カバー材２の内側に浸入することを防止できる。また、カバー本体部２１の内部の挟持リップ２２に加えて当接部２５もシール箇所となるため、装着構造の防水性が高まる。特に、当接部２５の少なくとも屋根パネル１と当接する部分が柔軟な発泡したスポンジ材からなる場合には、当接部２５が屋根パネル１に良好に密着し、装着構造の防水性が高まる。
【００４５】
さらに、この屋根パネル用カバー材２では、カバー本体部２１の表面がカバー本体部２１よりも高耐候性の表皮材２６で被覆されているときには、屋根パネル用カバー材２の耐久性が向上する。また、表皮材２６がカバー本体部２１と異なる色を呈する材料で形成されている場合には、装着構造の意匠性も高まる。
【００４６】
（実施形態２）
実施形態２では、図７に示す屋根パネル１及び屋根パネル用カバー部材３２を用いる。屋根パネル１の立上りフランジ部１ｂには、パネル本体部１ａの幅方向中心側に向けて半円状に突出する凸条１ｃが形成されている。
【００４７】
以上のように構成された場合、屋根パネル用カバー材３２の装着時に凸条１ｃが屋根パネル用カバー材３２の挟持リップ２２と当接する。そして、屋根パネル用カバー材３２が凸条１ｃに引っ掛かって屋根パネル用カバー材３２の抜けが防止される。また、屋根パネル１を曲げて形成する場合には、凸条１ｃによって屋根パネル１の長手方向の真直性（直線性）が高まる。他の作用効果は実施形態１と同様である。
【００４８】
（実施形態３）
実施形態３では、図８に示す屋根パネル１及び屋根パネル用カバー部材３３を用いる。屋根パネル１の立上りフランジ部１ｂは、各々の下端及び上端が当接し、中央が当接しないようになっている。これにより、立上りフランジ部１ｄの中央がパネル本体部１ａの幅方向中心側に向けて突出する凸条１ｄとされている。
【００４９】
以上のように構成された場合、屋根パネル用カバー材３３の装着時に凸条１ｄが屋根パネル用カバー材３３の挟持リップ２２と当接する。そして、屋根パネル用カバー材３３が凸条１ｄに引っ掛かって屋根パネル用カバー材３３の抜けが防止される。また、屋根パネル１を曲げて形成する場合には、凸条１ｄによって屋根パネル１の長手方向の真直性が高まる。他の作用効果は実施形態１と同様である。
【００５０】
（実施形態４）
実施形態４では、図９に示す屋根パネル１及び屋根パネル用カバー部材３３を用いる。屋根パネル１の立上りフランジ部１ｂは、各々の上端がパネル本体部１ａの幅方向中心側において下方に向かって折り返されることにより、パネル本体部１ａの幅方向中心側に向けて突出する凸条１ｅとされている。
【００５１】
以上のように構成された場合、屋根パネル用カバー材３３の装着時に凸条１ｅが屋根パネル用カバー材３３の挟持リップ２２と当接する。そして、屋根パネル用カバー材３３が凸条１ｅに引っ掛かって屋根パネル用カバー材３３の抜けが防止される。また、屋根パネル１を曲げて形成する場合には、凸条１ｅによって屋根パネル１の長手方向の真直性が高まる。他の作用効果は実施形態１と同様である。
【００５２】
（実施形態５）
実施形態５では、図１０に示す屋根パネル１及び屋根パネル用カバー部材３４を用いる。また、屋根パネル用カバー部材３４は、挟持リップ２２の先端に発泡したスポンジ材からなる止水部２７を設けたものである。
【００５３】
以上のように構成された場合、立上りフランジ部１ｂの外面に毛管現象等により雨水が浸入しても、挟持リップ２２の先端の止水部２７が立上りフランジ部１ｂの表面に良好に密着してその雨水を止水するため、その雨水が立上りフランジ部１ｂ間に侵入することを防止する。他の作用効果は実施形態１と同様である。なお、止水部２７をもつ挟持リップ２２の数や位置は屋根パネル１、装着場所、環境等に応じて適宜選択される。
【００５４】
（実施形態６）
実施形態６では、図１１に示す屋根パネル１及び屋根パネル用カバー部材３５を用いる。また、屋根パネル用カバー部材３５は、挟持リップ２２の先端に発泡したスポンジ材からなる止水部２７を設けるとともに、両側壁部２１ｂの先端にも発泡したスポンジ材からなる止水部２８を設けたものである。
【００５５】
以上のように構成された場合、パネル本体部１ａ及び立上りフランジ部１ｂの外面に毛管現象等により雨水が浸入しても、両側壁部２１ｂの先端の止水部２８及び挟持リップ２２の先端の止水部２７がその雨水を止水するため、その雨水が立上りフランジ部１ｂ間に侵入することを防止する。他の作用効果は実施形態１と同様である。なお、実施形態２〜６においても、実施形態１と同様の吊り材５を用いて屋根パネル１が垂木３に固着され得るが、対応する図７〜１１ではその吊り材５の図示を省略する。
【００５６】
（変形形態１）
上記実施形態１〜６では、図５に示す芯部２３を採用したが、図１２に示す芯部４１を採用することもできる。図１２（Ａ）に示すように、屈曲前のストリップ状の芯部４１０は、幅方向の両端が長手方向に延びる連結部４１ｃによって連結され、残部は長手方向と直交する方向に延びるスリット４１ｄによって分断されたものである。そして、屈曲前の芯部４１０が、図１２（Ｂ）に示すように、カバー本体部２１の底壁部２１ａ内に位置する底部４１ａと、カバー本体部２１の側壁部２１ｂ内に位置する側部４１ｂとからなる横断面形状がＵ字状に近似した形状にまで屈曲され、芯部４１とされ、この状態で押出成形に供され、押出成形後に最終横断面形状であるＵ字状に屈曲される。これにより芯部４１が一体に埋設された屋根パネル用カバー材となる。こうして得られる屋根パネル用カバー材では、芯部４１は、図５中のＸ方向の湾曲及びＺ方向の伸縮は制限されているものの、立上りフランジ部１ｂと同一方向であるＹ方向の変形が可能になっている。
【００５７】
（変形形態２）
上記実施形態１〜６において、図１３に示す芯部４２を採用することもできる。図１３（Ａ）に示すように、屈曲前の芯部４２０は、幅方向の中央が長手方向に延びる連結部４２ｃによって連結され、残部は長手方向と直交する方向に延びるスリット４２ｄによって分断されたものである。この状態で押出成形される。そして、屈曲前の芯部４２０は、図１３（Ｂ）に示すように、カバー本体部２１の底壁部２１ａ内に位置する底部４２ａと、カバー本体部２１の側壁部２１ｂ内に位置する側部４２ｂとからなる横断面形状がＵ字状に近似した形状まで屈曲され、芯部４２とされ、この状態で押出成形に供され、押出成形後に最終横断面形状であるＵ字状に屈曲される。これにより芯部４２が一体に埋設された屋根パネル用カバー材となる。こうして得られる屋根パネル用カバー材では、芯部４２の連続部４２ｃがカバー本体部２１の底壁部２１ａに位置して埋設され、芯部４２は、図５中のＺ方向の伸縮は制限されているものの、立上りフランジ部１ｂと同一方向であるＹ方向の湾曲が可能になっているとともに、Ｘ方向の湾曲もある程度可能になっている。
【００５８】
（変形形態３）
上記実施形態１〜６において、図１４に示す芯部４３を採用することもできる。図１４（Ａ）に示すように、破断前の芯部４３０は、幅方向の両端やや内よりの位置が薄肉の薄肉部４３ｅとされており、薄肉部４３ｅは長手方向に延びる連結部４３ｃによって連結されている。残部は長手方向と直交する方向に延びるスリット４３ｄによって分断されている。そして、破断前の芯部４３０は、図１４（Ｂ）に示すように、カバー本体部２１の底壁部２１ａ内に位置する底部４３ａと、カバー本体部２１の側壁部２１ｂ内に位置する側部４３ｂとからなる横断面形状がＵ字状に近似した形状にまで屈曲され、芯部４３とされ、この状態で押出成形に供され、押出成形後に最終横断面形状であるＵ字状に屈曲される。これにより芯部４３が一体に埋設された屋根パネル用カバー材となる。こうして得られる屋根パネル用カバー材は、図１４（Ｃ）に示すように、ブレーキングによって芯部４３の連結部４３ｃを破断して分断した後、出荷される。この屋根パネル用カバー材では、芯部４３は、連結部４３ｃが存在しなくなるため、立上りフランジ部１ｂと同一方向である図５中のＹ方向の湾曲とＸ方向の湾曲とが可能であるばかりでなく、Ｚ方向の伸縮も制限されない。このため、この屋根パネル用カバー材は、より小径に巻き付けて運搬することができ、取り扱いが極めて便利である。そして、屋根パネル用カバー材の取付場所で屋根パネル用カバー材を所定の長さに容易に切断することができる。このため、この点において、装着作業を極めて簡易かつ短時間に行うことができる。
【図面の簡単な説明】
【図１】実施形態１に係り、屋根パネル用カバー材を装着した建物の斜視図である。
【図２】実施形態１に係り、屋根パネル用カバー材を装着した建物の要部拡大斜視図である。
【図３】実施形態１に係り、屋根パネルの断面を示す図２のＡ−Ａ矢視断面図である。
【図４】実施形態１に係り、屋根パネル用カバー材の断面図である。
【図５】実施形態１に係り、屋根パネル用カバー材の要部破断斜視図である。
【図６】実施形態１に係り、屋根パネル及び屋根パネル用カバー材の断面を示す図２のＡ−Ａ矢視断面図である。
【図７】実施形態２に係り、屋根パネル及び屋根パネル用カバー材の断面を示す図６と同様の断面図である。
【図８】実施形態３に係り、屋根パネル及び屋根パネル用カバー材の断面を示す図６と同様の断面図である。
【図９】実施形態４に係り、屋根パネル及び屋根パネル用カバー材の断面を示す図６と同様の断面図である。
【図１０】実施形態５に係り、屋根パネル及び屋根パネル用カバー材の断面を示す図６と同様の断面図である。
【図１１】実施形態６に係り、屋根パネル及び屋根パネル用カバー材の断面を示す図６と同様の断面図である。
【図１２】変形形態１の芯部に係り、図（Ａ）は芯部の平面図、図（Ｂ）は芯部の断面図である。
【図１３】変形形態２の芯部に係り、図（Ａ）は芯部の平面図、図（Ｂ）は芯部の断面図である。
【図１４】変形形態３の芯部に係り、図（Ａ）は芯部の平面図、図（Ｂ）は芯部の断面図、図（Ｃ）は芯部の側面図である。
【符号の説明】
１…屋根パネル
１ａ…パネル本体部
１ｂ…立上りフランジ部
２、３２、３３、３４、３５…屋根パネル用カバー材
２１…カバー本体部
２１ａ…底壁部
２１ｂ…側壁部
２２…挟持リップ
２３、４１、４２、４３…芯部
２４…防水部材
２５…当接部
２６…表皮材
１ｃ、１ｄ、１ｅ…凸条
【図１】
2004211472.tif 000003
【図２】
2004211472.tif 000004
【図３】
2004211472.tif 000005
【図４】
2004211472.tif 000006
【図５】
2004211472.tif 000007
【図６】
2004211472.tif 000008
【図７】
2004211472.tif 000009
【図８】
2004211472.tif 000010
【図９】
2004211472.tif 000011
【図１０】
2004211472.tif 000012
【図１１】
2004211472.tif 000013
【図１２】
2004211472.tif 000014
【図１３】
2004211472.tif 000015
【図１４】
2004211472.tif 000016